(57)【特許請求の範囲】
【請求項１】
前面パネル、背面パネルおよび４枚の側面パネルによって略直方体状に構成されたケース本体と、隣接する前記各側面パネルによって形成される４つのコーナー部にそれぞれ取り付けられて当該ケース本体を保護するプロテクタとを備えた電子機器用ケースであって、
前記各コーナー部の少なくとも一部には、前記隣接する各側面パネル同士が離間した隙間が形成され、
前記プロテクタは、柔軟性および弾性を有する単一の材料によって形成されると共に前記コーナー部における前記隙間を構成する前記隣接する各側面パネルの縁部に嵌合する一対の嵌合溝が形成された本体部を備えて構成されて、当該各嵌合溝に前記縁部をそれぞれ嵌合させつつ前記コーナー部の長さ方向に沿って前記本体部をスライドさせることによって当該コーナー部に取り付けられる電子機器用ケース。
【請求項２】
前記プロテクタは、前記本体部の一部を構成する第１本体部を有する第１プロテクタ部材、および前記本体部の他の部分を構成する第２本体部を有する第２プロテクタ部材で構成され、
前記第１プロテクタ部材は、前記コーナー部における前記長さ方向の中央部に向けて当該コーナー部の一端部側から前記第１本体部をスライドさせて当該コーナー部に取り付けられ、
前記第２プロテクタ部材は、前記コーナー部の前記中央部に向けて当該コーナー部の他端部側から前記第２本体部をスライドさせて当該コーナー部に取り付けられる請求項１記載の電子機器用ケース。
【請求項３】
前記ケース本体の前記コーナー部の長さ方向の中央部には、前記隣接する各側面パネルの前記縁部に掛け渡されたブリッジ部が配設され、
前記第１プロテクタ部材および前記第２プロテクタ部材は、各々の先端部が前記ブリッジ部に位置した状態において当該先端部が互いに突合可能に構成されている請求項２記載の電子機器用ケース。
【請求項４】
前記第１プロテクタ部材および前記第２プロテクタ部材における前記各先端部の端面には、当該各先端部同士が突合した状態において互いに嵌合する嵌合部がそれぞれ形成されている請求項３記載の電子機器用ケース。
【請求項５】
前記第１プロテクタ部材は、前記第１本体部の基端部側に突出形成されて前記前面パネルおよび前記背面パネルの一方と前記側面パネルとによって形成されるコーナー部を覆う第１突出部を備えて構成され、
前記第２プロテクタ部材は、前記第２本体部の基端部側に突出形成されて前記前面パネルおよび前記背面パネルの他方と前記側面パネルとによって形成されるコーナー部を覆う第２突出部を備えて構成されている請求項２から４のいずれかに記載の電子機器用ケース。
【発明の詳細な説明】
【技術分野】
【０００１】
本発明は、略直方体状に構成されたケース本体と、当該ケース本体のコーナー部に配設されるプロテクタとを備えた電子機器用ケースに関するものである。
【背景技術】
【０００２】
電子機器のケースに取り付けられて電子機器（ケース）を保護するプロテクタとして、特開２０００−１８３５５６号公報に開示された携帯端末装置用プロテクタ（以下、単に「プロテクタ」ともいう）が知られている。このプロテクタは、剛性を有するプラスチック部材で形成されて端末（保護対象の電子機器）と当接する内層部、および内層部と比較して相対的に柔らかい（柔軟性を有する）エラストマーで形成されて内層部を被覆する外層部の２層構造で構成されている。また、このプロテクタは、端末の左右の各側面をはめ込むようにして取り付けられて、ネジによって端末に固定されている。
【特許文献１】特開２０００−１８３５５６号公報（第３−４頁、第１図）
【発明の開示】
【発明が解決しようとする課題】
【０００３】
ところが、従来のプロテクタには、以下の問題点がある。すなわち、このプロテクタは、剛性を有する内層部と柔軟性を有して内層部を被覆する外層部の２層構造で構成されている。このため、内層部を備えていない構成と比較して、プロテクタが全体として大形化する結果、電子機器の操作に支障を来すおそれがある。また、上記のプロテクタでは、２層構造で構成されていることに起因して、製造工程が複雑となり製造コストの低減が困難であるという問題点も存在する。この場合、柔軟性を有する部材だけでプロテクタを形成する方法が考えられる。しかしながら、上記したプロテクタを含む従来のプロテクタは、一般的に、ネジ止めによって電子機器（電子機器のケース）に固定されているため、柔軟性を有する部材だけで形成したプロテクタでは、ネジ止め用のネジ孔の周囲にネジ止の際の圧力によって亀裂が生じたり、ネジ止めされていない部分が変形して外れるなど、確実な取り付けが困難となるおそれがある。
【０００４】
本発明は、かかる問題点に鑑みてなされたものであり、電子機器の操作性に影響を与えることなく十分な保護機能を有し、かつ製造コストの低減を実現し得る電子機器用ケースを提供することを主目的とする。
【課題を解決するための手段】
【０００５】
上記目的を達成すべく請求項１記載の電子機器用ケースは、前面パネル、背面パネルおよび４枚の側面パネルによって略直方体状に構成されたケース本体と、隣接する前記各側面パネルによって形成される４つのコーナー部にそれぞれ取り付けられて当該ケース本体を保護するプロテクタとを備えた電子機器用ケースであって、前記各コーナー部の少なくとも一部には、前記隣接する各側面パネル同士が離間した隙間が形成され、前記プロテクタは、柔軟性および弾性を有する単一の材料によって形成されると共に前記コーナー部における前記隙間を構成する前記隣接する各側面パネルの縁部に嵌合する一対の嵌合溝が形成された本体部を備えて構成されて、当該各嵌合溝に前記縁部をそれぞれ嵌合させつつ前記コーナー部の長さ方向に沿って前記本体部をスライドさせることによって当該コーナー部に取り付けられる。
【０００６】
また、請求項２記載の電子機器用ケースは、請求項１記載の電子機器用ケースにおいて、前記プロテクタは、前記本体部の一部を構成する第１本体部を有する第１プロテクタ部材、および前記本体部の他の部分を構成する第２本体部を有する第２プロテクタ部材で構成され、前記第１プロテクタ部材は、前記コーナー部における前記長さ方向の中央部に向けて当該コーナー部の一端部側から前記第１本体部をスライドさせて当該コーナー部に取り付けられ、前記第２プロテクタ部材は、前記コーナー部の前記中央部に向けて当該コーナー部の他端部側から前記第２本体部をスライドさせて当該コーナー部に取り付けられる。
【０００７】
また、請求項３記載の電子機器用ケースは、請求項２記載の電子機器用ケースにおいて、前記ケース本体の前記コーナー部の長さ方向の中央部には、前記隣接する各側面パネルの前記縁部に掛け渡されたブリッジ部が配設され、前記第１プロテクタ部材および前記第２プロテクタ部材は、各々の先端部が前記ブリッジ部に位置した状態において当該先端部が互いに突合可能に構成されている。
【０００８】
さらに、請求項４記載の電子機器用ケースは、請求項３記載の電子機器用ケースにおいて、前記第１プロテクタ部材および前記第２プロテクタ部材における前記各先端部の端面には、当該各先端部同士が突合した状態において互いに嵌合する嵌合部がそれぞれ形成されている。
【０００９】
また、請求項５記載の電子機器用ケースは、請求項２から４のいずれかに記載の電子機器用ケースにおいて、前記第１プロテクタ部材は、前記第１本体部の基端部側に突出形成されて前記前面パネルおよび前記背面パネルの一方と前記側面パネルとによって形成されるコーナー部を覆う第１突出部を備えて構成され、前記第２プロテクタ部材は、前記第２本体部の基端部側に突出形成されて前記前面パネルおよび前記背面パネルの他方と前記側面パネルとによって形成されるコーナー部を覆う第２突出部を備えて構成されている。
【発明の効果】
【００１０】
請求項１記載の電子機器用ケースによれば、隣接する各側面パネルの縁部を離間させることによってケース本体における各コーナー部に隙間を形成し、柔軟性および弾性を有する単一の材料によって形成すると共にその隙間を構成する２枚の側面パネルの縁部に嵌合する一対の嵌合溝を形成した本体部を備えてプロテクタを構成したことにより、剛性を有する内層部および柔軟性を有する内層部の２層構造で構成された従来のプロテクタと比較して、内層部を有していない分、保護機能を低下させることなくプロテクタを小形に構成することができる。この結果、電子機器の操作性に影響を与えることなく、十分な保護機能を有する電子機器用ケースを構成することができる。また、この電子機器用ケースによれば、従来のプロテクタと比較して、内層部を有していない分、プロテクタの製造工程を簡略化することができる結果、プロテクタの製造コスト、ひいては電子機器用ケースの製造コストを十分に低減することができる。さらに、この電子機器用ケースによれば、各プロテクタ部材の嵌合溝に側面パネルの縁部に嵌合させつつコーナー部の長さ方向に沿ってスライドさせるだけで、ネジ止めすることなくプロテクタをケース本体に確実に取り付けることができる。したがって、この電子機器用ケースによれば、取り付け作業を容易に行うことができる結果、電子機器用ケースの組立て効率を十分な向上させることができる。
【００１１】
また、請求項２記載の電子機器用ケースによれば、第１本体部を有する第１プロテクタ部材、および第２本体部を有する第２プロテクタ部材でプロテクタを構成したことにより、両プロテクタ部材をコーナー部の中央部に向けてコーナー部の両端部からそれぞれスライドさせることで両プロテクタ部材をコーナー部に取り付けることができるため、１つの部材で構成された長尺のプロテクタをコーナー部の一端部から他端部までスライドさせる構成と比較して、プロテクタをさらに容易にコーナー部に取り付けることができるため、電子機器用ケースの組立て効率を一層向上させることができる。
【００１２】
また、請求項３記載の電子機器用ケースによれば、隣接する各側面パネルの縁部に掛け渡されたブリッジ部をケース本体のコーナー部の長さ方向の中央部に配設すると共に、各々の先端部がブリッジ部に位置した状態において各先端部が互いに突合可能に各プロテクタ部材を構成したことにより、各プロテクタ部材の撓みがブリッジ部によって防止される結果、各プロテクタ部材の撓みによって各先端部同士の突合状態が解除されて先端部の間に隙間が生じ、その隙間からケース本体の内部に埃等が侵入する事態を確実に防止することができる。
【００１３】
さらに、請求項４記載の電子機器用ケースによれば、各プロテクタ部材における先端部の端面に嵌合部をそれぞれ形成したことにより、互いに突合させた状態の各先端部の位置ずれを防止することができるため、各先端部の間に隙間が生じる事態をより確実に防止することができる。
【００１４】
また、請求項５記載の電子機器用ケースによれば、本体部の基端部側に突出形成されて前面パネルおよび背面パネルの一方と側面パネルとによって形成されるコーナー部を覆う突出部を備えて両プロテクタ部材を構成したことにより、これらのコーナー部、前面パネルおよび背面パネルを確実に保護することができる。
【発明を実施するための最良の形態】
【００１５】
以下、本発明に係る電子機器用ケースの最良の形態について、添付図面を参照して説明する。
【００１６】
最初に、電子機器用ケース１の構成について説明する。図１に示す電子機器用ケース１は、本発明に係る電子機器用ケースの一例であって、ケース本体２およびプロテクタ３ａ〜３ｄ（以下、区別しないときには「プロテクタ３」ともいう）を備えて構成されている。ケース本体２は、前面パネル１１、背面パネル１２、および４枚の側面パネル１３ａ〜１３ｄ（以下、区別しないときには「側面パネル１３」ともいう）によって全体として略直方体状に構成されている。また、ケース本体２における隣接する２枚の側面パネル１３によって形成される４つのコーナー部２１ａ〜２１ｄ（以下、区別しないときには「コーナー部２１」ともいう）には、図２，３に示すように、隣接する各側面パネル１３の端部同士が互いに離間することによって生じた隙間２２が形成されている。また、各コーナー部２１の長さ方向の中央部には、隣接する各側面パネル１３の縁部１４間に掛け渡されたブリッジ部２３が配設されている。この場合、本例では、ブリッジ部２３は側面パネル１３ｂと一体に形成されている。なお、ブリッジ部２３を側面パネル１３ｃと一体に形成してもよい。また、側面パネル１３とは別部材として形成して、例えば側面パネル１３ｂの端面に嵌め合わせて取り付けることもできる。
【００１７】
プロテクタ３は、図１に示すように、柔軟性および弾性を有する単一の材料（一例として、エラストマー）によってそれぞれ形成された第１プロテクタ部材３１ａおよび第２プロテクタ部材３１ｂ（以下、区別しないときには「プロテクタ部材３１」ともいう）で構成されている。また、プロテクタ３は、ケース本体２における各コーナー部２１にそれぞれ取り付けられてケース本体２を保護する機能を有している。
【００１８】
第１プロテクタ部材３１ａは、図４に示すように、第１本体部３２ａおよび第１突出部３３ａを備えて構成されている。第１本体部３２ａは、断面略円弧状の棒状に形成されている。また、第１本体部３２ａの両側部４１，４１には、コーナー部２１の隙間２２を構成する２枚の側面パネル１３の縁部１４に嵌合する嵌合溝４２がそれぞれ形成されている。この場合、第１プロテクタ部材３１ａは、図６，７に示すように、嵌合溝４２と各側面パネル１３の縁部１４とを嵌合させつつ、コーナー部２１の長さ方向の中央部に向けてコーナー部の一方の端部側（両図では、左側）から第１本体部３２ａをスライドさせることによってコーナー部２１に取り付けられる。また、第１突出部３３ａは、図４に示すように、第１本体部３２ａの基端部４３から突出するようにして第１本体部３２ａに一体形成（基端部４３側に突出形成）されており、第１プロテクタ部材３１ａがケース本体２のコーナー部２１に取り付けられた状態において、前面パネル１１および背面パネル１２のいずれか一方と側面パネル１３とによって形成されるコーナー部２４（図２，３参照）を覆って保護するように構成されている。
【００１９】
第２プロテクタ部材３１ｂは、図５に示すように、上記した第１プロテクタ部材３１ａと対称（左右対称）の形状に構成されている。具体的には、第２プロテクタ部材３１ｂは、第２本体部３２ｂ（以下、第１本体部３２ａと区別しないときには「本体部３２」ともいう）および第２突出部３３ｂ（以下、第１プロテクタ部材３１ａの突出部３３ａと区別しないときには「突出部３３」ともいう）を備えて構成されている。第２本体部３２ｂは、第１プロテクタ部材３１ａの第１本体部３２ａと同様の断面略円弧状の棒状に形成されている。また、第２本体部３２ｂの両側部４１，４１には、コーナー部２１の隙間２２を構成する２枚の側面パネル１３の縁部１４に嵌合する嵌合溝４２がそれぞれ形成されている。この場合、第２プロテクタ部材３１ｂは、図６，７に示すように、嵌合溝４２と各側面パネル１３の縁部１４とを嵌合させつつ、コーナー部２１の長さ方向の中央部に向けてコーナー部の他方の端部側（両図では、右側）から第２本体部３２ｂをスライドさせることによってコーナー部２１に取り付けられる。また、第２突出部３３ｂは、図５に示すように、第２本体部３２ｂの基端部４３から突出するようにして第２本体部３２ｂに一体形成（基端部４３側に突出形成）されており、第２プロテクタ部材３１ｂがケース本体２のコーナー部２１に取り付けられた状態において、前面パネル１１および背面パネル１２のいずれか他方と側面パネル１３とによって形成されるコーナー部２４（図２，３参照）を覆って保護するように構成されている。
【００２０】
また、図４，５に示すように、第１プロテクタ部材３１ａの第１本体部３２ａにおける先端部４４の端面４５には凸部４６ａ（本願発明における嵌合部の一例）が形成され、第２プロテクタ部材３１ｂの第２本体部３２ｂにおける先端部４４の端面４５には凸部４６ａに嵌合可能な凹部４６ｂ（本願発明における嵌合部の一例）が形成されている。この場合、第１プロテクタ部材３１ａおよび第２プロテクタ部材３１ｂは、上記したようにしてケース本体２のコーナー部２１に取り付けられる際に、各々の本体部３２の先端部４４がコーナー部２１に配設されているブリッジ部２３に位置し、その状態において先端部４４（端面４５）同士が互いに突合すると共に、各々の凸部４６ａおよび凹部４６ｂが互いに凹凸嵌合する。なお、第１プロテクタ部材３１ａの第１本体部３２ａ、および第２プロテクタ部材３１ｂの第２本体部３２ｂによって本発明における本体部が構成される。つまり、第１本体部３２ａが本発明における本体部の一部を構成し、第２本体部３２ｂが本発明における本体部の他の部分を構成する。
【００２１】
この場合、この電子機器用ケース１では、上記したように、プロテクタ３が柔軟性を有する単一の材料によって形成されている。このため、剛性を有する材料で形成された内層部、および柔軟性を有する材料で形成された内層部の２層構造で構成され従来のプロテクタと比較して、内層部を有していない分、保護機能を低下させることなくプロテクタ３を小形に構成することが可能となっている。この結果、電子機器の操作性に影響を与えることなく、十分な保護機能を有する電子機器用ケース１を構成することが可能となっている。また、この電子機器用ケース１では、従来のプロテクタと比較して、内層部を有していない分、プロテクタ３の製造工程を簡略化することが可能な結果、プロテクタ３の製造コストひいては電子機器用ケース１の製造コストを十分に低減することが可能となっている。
【００２２】
次に、電子機器用ケース１の組立て方法について、図面を参照して説明する。
【００２３】
まず、前面パネル１１、背面パネル１２および各側面パネル１３ａ〜１３ｄを連結してケース本体２を組み立てる（図１，２参照）。この場合、組み立てられたケース本体２における隣接する２枚の側面パネル１３によって形成される各コーナー部２１ａ〜２１ｄには、隣接する各側面パネル１３の端部同士が互いに離間することによって生じた隙間２２が形成され（図２，３参照）、各コーナー部２１の長さ方向の中央部には、隣接する各側面パネル１３の縁部１４間に掛け渡されたブリッジ部２３（両図参照）が位置している。
【００２４】
次いで、各コーナー部２１にプロテクタ３を取り付ける。具体的には、図６，７に示すように、第１プロテクタ部材３１ａおよび第２プロテクタ部材３１ｂのいずれか一方（この例では第２プロテクタ部材３１ｂ）の第２本体部３２ｂにおける嵌合溝４２の先端部４４側の部分を、コーナー部２１（両図ではコーナー部２１ｂ）を構成する２枚の側面パネル１３（両図では側面パネル１３ｂ，１３ｃ）の縁部１４に嵌合させる。続いて、第２プロテクタ部材３１ｂの第２突出部３３ｂをコーナー部２１の中央部に向けて（図７における左側向きに）押圧して、第２本体部３２ｂをコーナー部２１ｂの長さ方向に沿ってスライドさせる。同様にして、第１プロテクタ部材３１ａの第１本体部３２ａにおける嵌合溝４２の先端部４４側の部分を、側面パネル１３ｂ，１３ｃの縁部１４に嵌合させて、続いて、第１プロテクタ部材３１ａの第１突出部３３ａを押圧して、第１本体部３２ａをコーナー部２１ｂの長さ方向に沿ってスライドさせる。
【００２５】
次いで、各プロテクタ部材３１ａ，３１ｂの本体部３２をコーナー部２１ｂの長さ方向に沿ってさらにスライドさせる。この場合、両プロテクタ部材３１ａ，３１ｂにおける各々の本体部３２の先端部４４がブリッジ部２３に位置したときには、各先端部４４（端面４５）同士が互いに突合すると共に、各々の凸部４６ａおよび凹部４６ｂが互いに凹凸嵌合する。また、この状態では、各本体部３２の基端部４３側に突出形成された突出部３３により、前面パネル１１または背面パネル１２と側面パネル１３とによって形成されるコーナー部２４が覆われて保護される。以下、同様にして、各コーナー部２１にプロテクタ３（第１プロテクタ部材３１ａおよび第２プロテクタ部材３１ｂ）を取り付ける。以上により、図１に示すように、ケース本体２の組立てが完了する。
【００２６】
この場合、この電子機器用ケース１では、各プロテクタ３が柔軟性および弾性を有する材料で構成されているため、プロテクタ３がコーナー部２１に取り付けられた状態では、各プロテクタ部材３１の嵌合溝４２を形成する内壁面がその全域に亘って各側面パネル１３の縁部１４に密着する。このため、嵌合溝４２の内壁面と側面パネル１３の縁部１４との間に生じる大きな摩擦力によってコーナー部２１からケース本体２の外部に向かう向きでの各プロテクタ部材３１のスライドが規制される結果、プロテクタ３がコーナー部２１から外れる事態が確実に防止される。したがって、各プロテクタ部材３１の嵌合溝４２を側面パネル１３の縁部１４に嵌合させつつ、コーナー部２１の長さ方向に沿ってスライドさせるだけで、ネジ止めすることなくプロテクタ３（各プロテクタ部材３１）を各コーナー部２１に確実に取り付けることが可能となっている。このため、この電子機器用ケース１では、取り付け作業を容易に行うことができる結果、電子機器用ケース１の組立て効率を十分な向上させることが可能となっている。
【００２７】
また、この電子機器用ケース１では、コーナー部２１の中央部にブリッジ部２３が配設され、コーナー部２１に取り付けられた各プロテクタ部材３１の先端部４４が、ブリッジ部２３に位置した状態で互いに本体部３２の先端部４４同士が突合すると共に各先端部４４の端面４５に形成された凸部４６ａおよび凹部４６ｂが嵌合する。このため、この電子機器用ケース１では、各本体部３２の撓みがブリッジ部２３によって防止される結果、本体部３２の撓みに起因して各先端部４４同士の突合状態が解除されて先端部４４の間に隙間が生じ、その隙間からケース本体２の内部に埃等が侵入する事態を確実に防止することが可能となっている。
【００２８】
このように、この電子機器用ケース１によれば、隣接する各側面パネル１３の縁部１４を離間させることによってケース本体２における各コーナー部２１に隙間２２を形成し、柔軟性および弾性を有する単一の材料によって形成すると共にその隙間２２を構成する２枚の側面パネル１３の縁部１４に嵌合する一対の嵌合溝４２を形成した本体部３２を備えてプロテクタ３を構成したことにより、剛性を有する内層部および柔軟性を有する内層部の２層構造で構成された従来のプロテクタと比較して、内層部を有していない分、保護機能を低下させることなくプロテクタ３を小形に構成することができる。この結果、電子機器の操作性に影響を与えることなく、十分な保護機能を有する電子機器用ケース１を構成することができる。また、この電子機器用ケース１によれば、従来のプロテクタと比較して、内層部を有していない分、プロテクタ３の製造工程を簡略化することができる結果、プロテクタ３の製造コスト、ひいては電子機器用ケース１の製造コストを十分に低減することができる。さらに、この電子機器用ケース１によれば、各プロテクタ部材３１の嵌合溝４２に側面パネル１３の縁部１４に嵌合させつつコーナー部２１の長さ方向に沿ってスライドさせるだけで、ネジ止めすることなくプロテクタ３をケース本体２に確実に取り付けることができる。したがって、この電子機器用ケース１によれば、取り付け作業を容易に行うことができる結果、電子機器用ケース１の組立て効率を十分な向上させることができる。
【００２９】
また、この電子機器用ケース１によれば、第１本体部３２ａを有する第１プロテクタ部材３１ａ、および第２本体部３２ｂを有する第２プロテクタ部材３１ｂでプロテクタ３を構成したことにより、両プロテクタ部材３１ａ，３１ｂをコーナー部２１の中央部に向けてコーナー部２１の両端部からそれぞれスライドさせることで両プロテクタ部材３１ａ，３１ｂをコーナー部２１に取り付けることができるため、１つの部材で構成された長尺のプロテクタ３をコーナー部２１の一端部から他端部までスライドさせる構成と比較して、プロテクタ３をさらに容易にコーナー部２１に取り付けることができるため、電子機器用ケース１の組立て効率を一層向上させることができる。
【００３０】
また、この電子機器用ケース１によれば、隣接する各側面パネル１３の縁部１４に掛け渡されたブリッジ部２３をケース本体２のコーナー部２１の長さ方向の中央部に配設すると共に、各プロテクタ部材３１ａ，３１ｂにおける各本体部３２の先端部４４がブリッジ部２３に位置した状態において各先端部４４が互いに突合可能にプロテクタ３を構成したことにより、各本体部３２の撓みがブリッジ部２３によって防止される結果、本体部３２の撓みによって各先端部４４同士の突合状態が解除されて先端部４４の間に隙間が生じ、その隙間からケース本体２の内部に埃等が侵入する事態を確実に防止することができる。
【００３１】
また、この電子機器用ケース１によれば、各プロテクタ部材３１の一方における先端部４４の端面４５に凸部４６ａを形成し、各プロテクタ部材３１の他方における先端部４４の端面４５に凹部４６ｂを形成したことにより、互いに突合させた状態の各先端部４４の位置ずれを防止することができるため、各先端部４４の間に隙間が生じる事態をより確実に防止することができる。
【００３２】
また、この電子機器用ケース１によれば、本体部３２の基端部４３側に突出形成されて前面パネル１１および背面パネル１２の一方と側面パネル１３とによって形成されるコーナー部２４を覆って保護する突出部３３を備えて両プロテクタ部材３１を構成したことにより、コーナー部２４、前面パネル１１および背面パネル１２を確実に保護することができる。
【００３３】
なお、本発明は、上記した構成に限定されない。例えば、エラストマーでプロテクタ３を形成した例について上記したが、プロテクタ３を形成する材料はこれに限定されず、柔軟性および弾性を有する材料である限り、任意の材料（例えばゴムや樹脂等）を用いることができる。また、第１プロテクタ部材３１ａおよび第２プロテクタ部材３１ｂでプロテクタ３を構成した例について上記したが、１つの部材でプロテクタ３を構成することもできる。また、断面略円弧状の本体部３２を採用した例について上記したが、これに限定されず、例えば、断面Ｌ字状の本体部３２を採用することもできる。また、取り付けられた各プロテクタ部材３１のコーナー部２１から外れる向きでのスライドを補助的に規制するために、プロテクタ部材３１をケース本体２にネジ止めする構成を採用することもできる。また、各コーナー部２１にブリッジ部２３を配設した例について上記したが、ブリッジ部２３を有していない構成、つまり各コーナー部２１の全体に亘って隙間２２が形成されている構成を採用することもできる。
【図面の簡単な説明】
【００３４】
【図１】電子機器用ケース１の構成を示す斜視図である。
【図２】コーナー部２１ｂにプロテクタ３が取り付けられていない状態のケース本体２斜視図である。
【図３】図２におけるコーナー部２１ｂの拡大斜視図である。
【図４】第１プロテクタ部材３１ａの斜視図である。
【図５】第２プロテクタ部材３１ｂの斜視図である。
【図６】第１プロテクタ部材３１ａおよび第２プロテクタ部材３１ｂの取り付け方法を説明するための第１の説明図である。
【図７】第１プロテクタ部材３１ａおよび第２プロテクタ部材３１ｂの取り付け方法を説明するための第２の説明図である。
【符号の説明】
【００３５】
１  電子機器用ケース
２  ケース本体
３ａ〜３ｄ  プロテクタ
１１  前面パネル
１２  背面パネル
１３ａ〜１３ｄ  側面パネル
１４  縁部
２１ａ〜２１ｄ  コーナー部
２３  ブリッジ部
２４  コーナー部
３１ａ  第１プロテクタ部材
３１ｂ  第２プロテクタ部材
３２ａ  第１本体部
３２ｂ  第２本体部
３３ａ  第１突出部
３３ｂ  第２突出部
４２  嵌合溝
４４  先端部
４５  端面
４６ａ  凸部
４６ｂ  凹部
【図１】
0004965497.tif 000002
【図２】
0004965497.tif 000003
【図３】
0004965497.tif 000004
【図４】
0004965497.tif 000005
【図５】
0004965497.tif 000006
【図６】
0004965497.tif 000007
【図７】
0004965497.tif 000008